(57)【要約】【課題】ＩＥＣ９５８規格に基づく光デジタルアウトを出力することや、バッファーメモリーの後段に付加される信号処理回路にメインデータとサブコードを連動して送るために、メインデータと同期してサブコードをバッファーメモリーに格納できるようにする。【解決手段】サブコードもメインデータをデインターリーブや誤り訂正するためのメモリーに格納して、メインデータを出力するときにサブコードも同期して出力できるようにするためのものであり、メインデータではシンボル位置を相対アドレスに変換し、フレーム位置を示すカウンターに加算してメモリーのアドレスを発生し、サブコードでは書き込み、読み出し位置をメインデータより後方の相対アドレスに固定値で配置し、フレーム位置を示すカウンターに加算してメモリーのアドレスを発生させるようにした。【選択図】        図１
2004213777.tif 000002
【特許請求の範囲】
【請求項１】
メインデータとサブデータが記録された記録メディアから読み出された信号を復調するための復調回路と、前記復調回路によって復調されたメインデータのインターリーブを解くための、または誤り訂正を行うためのメモリーと前記メモリーのアドレスを発生するアドレス発生回路を具備し、前記復調回路によって復調されたサブデータも前記メモリーにメインデータに同期して格納されることを特徴とする記録メディア再生装置。
【請求項２】
前記メモリーからのデータの読み出しを制御する制御回路を有し、前記制御回路によってメインデータに同期してサブデータも読み出されることを特徴とする特許請求項１記載の記録メディア再生装置。
【請求項３】
シンボル位置を相対アドレスに変換する変換手段と、フレーム位置を示すカウンターと、前記変換手段の出力と前記カウンターの出力を加算し、前記メモリーのアドレスを発生するための加算器とを有し、サブデータの格納位置の相対アドレスは前記変換手段において固定値で与えられることを特徴とする特許請求項１記載の記録メディア再生装置。
【請求項４】
シンボル位置を相対アドレスに変換する変換手段と、フレーム位置を示すカウンターと、前記変換手段の出力と前記カウンターの出力を加算し、前記メモリーのアドレスを発生するための加算器とを有し、サブデータの読み出し位置の相対アドレスは前記変換手段において固定値で与えられることを特徴とする特許請求項１記載の記録メディア再生装置。
【請求項５】
前記変換手段におけるサブデータの格納及び読み出し位置は、メインデータの位置よりも後方の相対アドレスに配置したことを特徴とする特許請求項１記載の記録メディア再生装置。
【発明の詳細な説明】
【０００１】
【発明が属する技術分野】
本発明は、コンパクトディスクのようにメインデータとサブデータとしてのサブコードを変調して記録された記録メディアを再生する記録メディア再生装置に関し、特にデータの先読みをするためのバッファーメモリーを有する記録メディア再生装置に関するものである。
【０００２】
【従来の技術】
再生中に、振動等に起因してトラックジャンプが発生したとき、ピックアップをトラックジャンプ発生直前の位置に戻し、その位置から再び再生を開始するとともに、大容量のバッファーメモリーを利用してトラックジャンプ発生直前のメインデータに対して、再生再開後に得られる再生メインデータを接続することにより、音楽を途切らせることなく再生するようにした耐震用コンパクトディスクプレーヤがある。
【０００３】
ところで、コンパクトディスクは、情報のインデックスとして利用できるものとしてサブデータであるサブコードしか持っていない。従って耐震用コンパクトディスクプレーヤにおいてトラックジャンプの際にサブコード情報を使うことになる。しかし音楽データであるメインデータは一旦デインターリーブ用のメモリーに書き込み読み出されるが、書き込みクロックと読み出しクロックの間にジッターがあるため、メインデータとサブコードの間に時間的な揺らぎが発生して正しく接続処理をするのが困難である。
【０００４】
そこで、特開平５−２８２７８５の「ディスクプレーヤの再生データ処理回路」ではサブコードから検出されたサブコード区切り情報にメインデータと同様の時間軸補正を加えることによってメインデータの時間軸上の位置を正確に知ることができるようにし、サブコード区切り情報に基づいてサブコードブロックの区切りを認識してサブコードブロック単位でメインデータの接続処理を行っている。
【０００５】
【発明が解決しようとする課題】
しかしながら、このように構成された耐震用コンパクトディスクプレーヤでは、メインデータとサブデータとしてのサブコードが連動してバッファーメモリーに格納されないため、メインデータにサブコードを含めてデジタルアンプでの再生やＭＤ録音等のために外部にデータを送るための例えばＩＥＣ９５８規格に基づく光デジタルアウトを出力することや、バッファーメモリーの後段に付加される信号処理回路にメインデータとサブコードを連動して送るのが困難であった。そこで、本発明はメインデータと同期してサブコードをバッファーメモリーに格納し、同期して読み出しができる記録メディア再生装置を提供することを目的としてなされたものである。
【０００６】
【課題を解決するための手段】
本発明は、サブデータとしてのサブコードもメインデータをインターリーブを解くためのあるいは誤り訂正するためのメモリーに格納して、メインデータを出力するときにサブコードも同期して出力できるようにしたことを最も主要な特徴とする。
【０００７】
それを実現するために、メインデータではシンボル位置を相対アドレスに変換し、フレーム位置を示すカウンターに加算してメモリーのアドレスを発生し、サブコードでは書き込み、読み出し位置をメインデータより後方の相対アドレスに固定値で配置し、フレーム位置を示すカウンターに加算してメモリーのアドレスを発生させるようにしたことを特徴とする。
【０００８】
【発明の実施の形態】
本発明は、メインデータとサブデータとしてのサブコードとを同期してインターリーブを解くためのあるいは誤り訂正するためのメモリーに格納し、メインデータではシンボル位置を相対アドレスに変換し、フレーム位置を示すカウンターに加算してメモリーのアドレスを発生し、サブコードでは書き込み、読み出し位置をメインデータより後方の相対アドレスに固定値で配置し、フレーム位置を示すカウンターに加算してメモリーのアドレスを発生させるようにすることによって、メインデータにサブコードを含めて出力する光デジタルアウトやバッファーメモリーの後段に付加される信号処理回路にデジタル出力を出すのが容易な記録メディア再生装置を提供するものである。
【０００９】
【実施例】以下、本発明の実施例を図面に基づいて詳細に説明する。まず、図１は本発明の一実施例を示すブロック図であり、１は復調回路、２は書き込みシンボルカウンター、３は書き込みフレームカウンター、４はアドレス発生回路、５はデータ選択回路、６はメモリー、７はブロック同期信号バッファー、８は誤り訂正回路、９はバッファーメモリー制御回路、１０は読み出しシンボルカウンター、１１は読み出しフレームカウンター、１２はバッファーメモリーである。
【００１０】
また、図２は記録メディアの一例として説明するコンパクトディスクのサブコードを含むフレーム構造と復調回路１の説明図であり、これを用いてフレーム構造と復調回路１の動作を説明する。コンパクトディスクにはフレーム同期信号とメインデータとサブデータとしてのサブコードが記録に適した変調方式で変調された変調信号で記録されており、その変調信号は次に説明する（ａ）のフレーム構造を有している。（ａ）はコンパクトディスクのサブコードフレーム構造であり、フレームはフレーム同期信号と１個のサブコードとシンボルデータ０〜３１の３２個のメインデータから構成されている。（ｂ）は復調回路１内で生成されるフレーム同期信号、（ｃ）は復調回路１内で生成されるシンボル同期信号、（ｄ）はフレーム内のデータを復調してシンボル同期信号に同期してラッチした復調データ、（ｅ）は復調データがサブコードかメインデータかを区別するサブコード選択信号である。
【００１１】
図３はコンパクトディスクのブロック構造の説明図であり、サブコードは９８フレームで１ブロック化しており、ブロックの先頭のサブコードはＳ０、Ｓ１と呼ばれる特殊なコードで変調されたブロック同期信号になっており、続けて９６個のサブコードが一連のアドレス等の情報を有している。
【００１２】
コンパクトディスクから読み出された変調信号は復調回路１で復調され、復調回路１から出力されたシンボル同期信号は、サブコードを示すシンボル同期信号を除いて書き込みシンボルカウンター２で３２進カウントされ、フレーム同期信号は、書き込みフレームカウンター３でカウントされ、アドレス発生回路４でサブコード選択信号によってサブコードかメインデータかを区別され、書き込みシンボルカウンター２と書き込みフレームカウンター３の出力によってメモリー６への書き込みアドレスを発生する。また、復調回路１から出力された復調データは書き込みか読み出しか訂正かを選択するデータ選択回路５で書き込み時に選択され、メモリー６の前述のアドレス発生回路４で発生するアドレスに書き込まれる。
【００１３】
また、書き込まれたメインデータには誤りが含まれるので、誤り訂正回路８で誤りアドレスを指定して読み出し、訂正して書き戻すことによってメモリー６内の誤りデータが訂正処理される。
【００１４】
データの読み出し側は、バッファーメモリー制御回路９から出力される読み出しシンボル同期信号でカウントされる読み出しシンボルカウンター１０の出力と、読み出しフレーム同期信号でカウントされる読み出しフレームカウンター１１の出力と、フレームの同期してフレームの先頭でサブコードを読み出すためのサブコード読みだしタイミング信号がアドレス発生回路４に入力されて読み出しアドレスを発生し、データ選択回路５で読み出し時に選択されてメモリー６の内容が読み出され、耐震用のバッファーメモリー１２にブロック単位でメインデータ部ととサブコード部に分けてメインデータとサブコードを格納する。格納されたデータは必要に応じてバッファーメモリー制御回路９によって読み出されて外部に出力される。
【００１５】
また、ブロック同期信号バッファー７には書き込みフレームカウンター３の下位ビットに応じた位置にブロック同期信号が書き込まれ、バッファーメモリー制御回路９によって読み出しフレームカウンター１１の下位ビットに応じた位置から読み出されて、メモリー６によるメインデータの遅延と同じ時間だけ遅延される。ここで言う下位ビットとは、例えばメモリー６のジッター吸収マージン（後述の図５の３２、３３）が進み側、遅れ側それぞれ３フレームなら下位３ビットとなる。
【００１６】
ここではブロック同期信号はブロック同期信号バッファー７で遅延されるが、サブコードと同様にメモリー６に格納してもよい。またサブコードのうちＰコードと呼ばれる１ビットはＩＥＣ９５８規格に基づく光デジタルアウトには使用されないので、このビットの代わりにブロック同期信号を格納してもよい。
【００１７】
図４は本発明の一実施例におけるアドレス発生回路４のブロック図であり、２１、２２はセレクター、２３は変換手段、２４は加算器である。
【００１８】
セレクター２１はシンボルアドレスの選択回路であり、書き込みシンボルカウンター２の出力と、読み出しシンボルカウンター１１の出力と、訂正回路８からの訂正シンボルアドレスが入力され、選択された信号が出力され、変換手段２３はＲＯＭやゲートによる変換テーブルによって構成されており、シンボル位置から相対アドレスを発生する。
【００１９】
セレクター２２はフレームアドレスの選択回路であり、書き込みフレームカウンター３の出力と、読み出しフレームカウンター１０の出力と、訂正回路８からの訂正フレームアドレスが入力され、選択された信号が出力され、変換手段２３とセレクター２２の出力は加算器２４で加算されてメモリー６のアドレスを合成する。また、加算器２４のキャリーは捨てられるため、メモリー６はリング状に動作する。
【００２０】
また、変換手段２３にはサブコード書き込み時のアドレスを発生させるための復調回路１から出力されるサブコード選択信号と、サブコード読み出し時のアドレスを発生させるためのバッファーメモリー制御回路９から出力されるサブコード読み出しタイミング信号が入力され、復調されたフレームの先頭でのサブコードの書き込み時および読み出しフレームの先頭での読み出し時にはサブコードの書き込み位置および読み出し位置の相対アドレスを発生する。
【００２１】
図５は本発明の一実施例におけるメモリー６のマップであり、アドレスは左上の０から始まって下に向かってＡ−１までアドレスが割り付けられ、次いでその右の列の上から始まってＡからＢ−１までアドレスが割り付けられ、次いでＢからＣ−１というように右に向かってアドレスが割り付けられている。（Ａ、Ｂ、Ｃ・・・は縦方向のシンボル数を示す。）書き込みアドレスは３１の位置に左から右に向かって順次書き込まれる。（実際にはＣ１スクランブルでジグザグに格納されるが本発明と本質的に関係ないことなので省略して簡略化して書いている。）３２はジッターにより書き込みが早すぎたときにオーバーフローするのを防ぐためのジッター吸収用のバッファー領域で、３３はジッターにより書き込みが遅すぎたときにアンダーフローするのを防ぐためのジッター吸収用のバッファー領域で、読み出し時は、インターリーブされているので、３４の方向に読み出す。（実際にはＣ２スクランブルで読み出される位置がずれたり前後したりするが、本発明と本質的に関係ないことなので省略して簡略化して書いている。）
【００２２】
３５はサブコードの格納エリアで、データを格納するアドレスの後部の相対アドレスに配置され、相対アドレスが固定位置である３６の位置に書き込み、相対アドレスが固定位置である３７の位置から読み出される。
書き込みが進むと書き込みフレームカウンター３の値が大きくなるので下のアドレスに書くようになり、また読み出しが進むと読み出しフレームカウンター１１の値が大きくなるので下のアドレスを読むようになり、下のアドレスは上のアドレスに＋１した値なので、読み出しが済んだところからデータが廃棄され、メモリーはリング状に動作する。
【００２３】
振動によりトラックジャンプした場合は、キックバックして再生位置を戻し、バッファーメモリー１２に格納が済んでいないブロックの先頭データから格納位置を合わせて上書きすることによってメインデータおよびサブコードを接続することができ、音やデータがとぎれることなく再生することができる。
【００２４】
本実施例ではコンパクトディスクで説明したが、メインデータとサブデータが記録されたメディアを再生する装置であれば、いかなるディスクやテープやそれ以外のメディアであっても同様に実施可能である。
【００２５】
【発明の効果】
以上説明したように本発明の記録メディア再生装置は、メインデータと同期してサブコードをバッファーメモリーに格納できるため、メインデータにサブコードを含めて出力する光デジタルアウトにデジタル出力を出すことや、バッファーメモリーの後段に付加される信号処理回路にメインデータとサブコードを同期して送るのが容易であり、トラックジャンプした後のデータの接続にはサブコードを用いてブロック単位に容易に接続することができるという利点がある。また、コンパクトディスクだけではなく、メインデータとサブデータが記録されたメディアを再生する装置であれば、いかなるディスクやテープやそれ以外のメディアであっても同様の利点がある。
【図面の簡単な説明】
【図１】本発明の一実施例を示すブロック図である。
【図２】コンパクトディスクのサブコードフレーム構造と復調回路の説明図である。
【図３】コンパクトディスクのブロック構造の説明図である。
【図４】本発明の一実施例におけるアドレス発生回路のブロック図である。
【図５】本発明の一実施例におけるメモリーのマップである。
【符号の説明】
１    復調回路
２    書き込みシンボルカウンター
３    書き込みフレームカウンター
４    アドレス発生回路
５    データ選択回路
６    メモリー
７    ブロック同期信号バッファー
８    誤り訂正回路
９    バッファーメモリー制御回路
１０  読み出しシンボルカウンター
１１  読み出しフレームカウンター
１２  バッファーメモリー
２１、２２  セレクター
２３  変換手段
２４  加算器
【図１】
2004213777.tif 000003
【図２】
2004213777.tif 000004
【図３】
2004213777.tif 000005
【図４】
2004213777.tif 000006
【図５】
2004213777.tif 000007